(57)【要約】      （修正有）【課題】窓枠部材の取付時間と取付作業コストと取付作業の負担と、部品点数を大幅に軽減させる窓枠部材の取付構造を提供する。【解決手段】２つの窓枠部材１０，１１は、いずれもフランジ部１０ａ，１１ａと、フランジ部１０ａ，１１ａの内周縁から互いに対向する方向に向けた内周壁部１０ｂ，１１ｂと、内周壁部１０ｂ、１１ｂの端部から対向して立設する立設板部１０ｃ，１１ｃとを具備する。そして、双方の窓枠部材１０，１１を開口部５の前後から嵌め込み、フランジ部１１ａに設けたビス挿通孔１１ｆから立設板部１１ｃに設けたビス挿通孔１１ｄ内に向けてビス７の軸部を挿通し、窓枠部材１０の立設板部１０ｃに設けたビス螺通孔１０ｄ内にビス７の先端部を螺通・締結させて、双方の窓枠部材１０，１１を一体的に組み付けた。【選択図】図６
0003179385.tif 000002
【実用新案登録請求の範囲】
【請求項１】
ドア、壁面等の窓取付箇所に開設した開口部内に窓用のガラス板を配置させた状態で、該開口部の前方と後方から該開口部に向けて窓枠部材を夫々配置装着させる窓枠部材の取付構造であって、
該２つの窓枠部材は、いずれもフランジ部と、フランジ部の内周縁から互いに対向する方向に向けた内周壁部と、内周壁部の端部からフランジ部に対して水平対向して立設する立設板部とを具備し、
前記２つの窓枠部材の各フランジ部を前記開口部の前後に位置する各パネル面に当接させ、該２つの窓枠部材の前記各内周壁部と前記各立設板部を前記開口部内に突入させた状態で、
前記２つの窓枠部材のうち、一方の窓枠部材のフランジ部に設けたビス挿通孔から該一方の窓枠部材の立設板部に設けたビス挿通孔内に向けてビスの軸部が挿通され、他方の窓枠部材の立設板部に設けたビス螺通孔内に該ビスの先端部が螺通・締結されていることを特徴とする窓枠部材の取付構造。
【請求項２】
前記窓枠部材は、円形窓、楕円形窓、矩形窓のいずれかに対応した形状を有する、請求項１に記載の窓枠部材の取付構造。
【請求項３】
前記窓枠部材は、防火扉の窓に用いられる窓枠部材である、請求項１又は２に記載の窓枠部材の取付構造。
【請求項４】
前記各立設板部の各対向面には、前記ガラス板を位置決めさせて配置させる凸条部又は複数の突起が設けられている、請求項１乃至３のいずれかの項に記載の窓枠部材の取付構造。
【考案の詳細な説明】
【技術分野】
【０００１】  本考案は、ドア、壁面等の窓取付箇所に開設した開口部内に窓用ガラス板を配置した状態で、該開口部の前方と後方から該開口に向けて窓枠部材を夫々配置装着させる、窓枠部材の取付構造に関し、この窓部材には、円形窓、楕円形窓、矩形窓などが挙げられる。
【背景技術】
【０００２】  図８は従来技術による窓枠部材の取付構造の各例を示している。
図８の各図において、外側パネル２及び内側パネル３は、ドア、壁面等を形成しているパネル板を指している。窓枠部材１０，１１を取付けるため、外側パネル２と内側パネル３の一部は開口されており、その内側周囲は開口部枠材４で補強されている。３０はガラス板である。【０００３】  図８の上段に示す従来技術１による窓枠部材の取付構造は、断面形状がＬ形形状の窓枠部材１０，１１を、対向する向きで、開口部の前後方向から位置させた状態で、木ねじ２０，２１を用いて装着させた構造とされている。【０００４】  図８の中段に示す従来技術２による窓枠部材の取付構造は、室外側の窓枠部材１０と室内側の窓枠部材１１が、それぞれ個別に木ねじ２２、２３を用いて開口部枠材４に装着させた構造とされている。【０００５】  図８の下段に示す従来技術３による窓枠部材の取付構造は、室外側の窓枠部材１０が木ねじ２４を用いて開口部枠材４に装着されている。そして、室内側の窓枠部材１１がビス２５を用いて室外側の窓枠部材１０に装着されている。
【考案の概要】
【考案が解決しようとする課題】
【０００６】  上記各従来技術による窓枠部材の取付構造においては次述の如き不具合がある。
即ち、上述の各従来技術による窓枠部材の取付構造によれば、室外側の窓枠部材と室内側の窓枠部材の夫々を、ビス又は木ねじを用いて開口部の周囲を覆う位置にそれぞれ装着させる構造は、取付時間と取付作業コストと取付作業に負担を与える。【０００７】  本考案が解決しようとする問題点は、窓枠部材の取付時間と取付作業コストと取付作業の負担と、部品点数を大幅に軽減させることにある。
【課題を解決するための手段】
【０００８】  本考案の請求項１に係る窓枠部材の取付構造は、
ドア、壁面等の窓取付箇所に開設した開口部内に窓用のガラス板を配置させた状態で、該開口部の前方と後方から該開口部に向けて窓枠部材を夫々配置装着させる窓枠部材の取付構造であって、
該２つの窓枠部材は、いずれもフランジ部と、フランジ部の内周縁から互いに対向する方向に向けた内周壁部と、内周壁部の端部からフランジ部に対して水平対向して立設する立設板部とを具備し、
前記２つの窓枠部材の各フランジ部を前記開口部の前後に位置する各パネル面に当接させ、該２つの窓枠部材の前記各内周壁部と前記各立設板部を前記開口部内に突入させた状態で、
前記２つの窓枠部材のうち、一方の窓枠部材のフランジ部に設けたビス挿通孔から該一方の窓枠部材の立設板部に設けたビス挿通孔内に向けてビスの軸部が挿通され、他方の窓枠部材の立設板部に設けたビス螺通孔内に該ビスの先端部が螺通・締結されているところに特徴がある。【０００９】  本考案の請求項２に係る窓枠部材の取付構造は、
請求項１に記載の構成の上、更に、前記窓枠部材は、円形窓、楕円形窓、矩形窓のいずれかに対応した形状を有する。【００１０】  本考案の請求項３に係る窓枠部材の取付構造は、
請求項１又は２に記載の構成の上、更に、前記窓枠部材は、円形窓、楕円形窓、矩形窓のいずれかに対応した形状を有する。【００１１】  本考案の請求項４に係る窓枠部材の取付構造は、
請求項１乃至３のいずれかの項に記載の構成の上、更に、前記各立設板部の各対向面には、前記ガラス板を位置決めさせて配置させる凸条部又は複数の突起が設けられている。
【考案の効果】
【００１２】  本考案の窓枠部材の取付構造によれば、室外側の窓枠部材と室内側の窓枠部材を、開口内に配置させたガラス板を挟んだ状態で、いずれか一方の窓枠部材から他方の窓枠部材に向けたビスで装着する取付構造としたため、窓枠部材の取付時間と取付作業コストと取付作業の負担と、部品点数を大幅に軽減させる。【００１３】  しかも、本考案の窓枠部材の取付構造は、円形窓、楕円形窓、矩形窓のいずれかに対応した形状の前記窓枠部材にも適用され、また、防火用扉、防犯用扉などの窓にも対応できる。
前記各立設板部の各対向面に、前記ガラス板を位置決めさせて配置させるための凸条又は複数の突起が形成された構造とした場合には、前記ビスを強く締結し過ぎた場合でも、この凸条又は複数の突起がガラス板の配置間隔を最適に維持させる。
しかも、本考案の窓枠部材の取付構造によれば、室外側の窓枠部材と室内側の窓枠部材のビス留めが、室内側の窓枠部材側から行われるため、室外側から窓枠部材を取り外す行為に対する防犯効果が発揮される。
【図面の簡単な説明】
【００１４】
【図１】（ａ）は円形窓を備えた扉の正面図、（ｂ）」は矩形窓を備えた扉の正面図。
【図２】（ａ）は桟無しの円形窓の正面図、（ｂ）は桟付き円形窓の正面図。
【図３】桟無し円形窓の分解斜視図。
【図４】矩形窓の正面図。
【図５】矩形窓の分解斜視図。
【図６】本考案実施形態における窓枠部材の取付構造を取付直前の状態で示した側面断面図。
【図７】同じく取付後の状態で示した側面断面図。
【図８】従来技術による窓枠部材の取付構造の各例を示した側面部分断面図。
【考案を実施するための形態】
【００１５】
【実施例】
【００１６】  本考案による窓枠部材の取付構造は、好適には、図１（ａ）に示す扉１に円形の窓Ｗを取付ける際、及び、図１（ｂ）に示す扉１に矩形の窓Ｗを取付ける際に適用される。これらの扉１，１は、例えば、防火扉、玄関扉などが挙げられる。図示していないが、本考案による窓枠部材の取付構造は、扉用の窓に限定されず、壁面の扉にも適用可能である。【００１７】  本者案による窓枠部材の取付構造が適用される円形窓は、図２（ａ）に示す桟無しの円形窓、図２（ｂ）に例示される桟付きの円形窓などが挙げられる。図示していないが、本考案による窓枠部材の取付構造は、楕円窓についても適用される。【００１８】  例えば、図２（ａ）に示す円形窓Ｗは、図３に示すように、前後２つのリング形状を有する窓枠部材１０，１１と、円板形状を通する窓用ガラス板３０と、ビス７，７・・を主要構成部品として備える。【００１９】  また、例えば、図４に示す矩形窓Ｗは、図５に示すように、前後２つの矩形枠形状を有する窓枠部材１０，１１と、矩形板状を有する窓用ガラス板３０と、ビス７，７・・を主要構成部品として備える。【００２０】  窓Ｗの大きさ及び形状は、窓枠部材１０，１１と窓用ガラス板３０の寸法と形状により決められる。顧客の要望を満たすため、窓枠部材１０，１１と窓用ガラス板２０は、円形、矩形、楕円形状のものが、各種寸法用意される。【００２１】  本考案においては、円形、矩形、楕円形状のいずれにおいても、図６及び図７に示す窓枠部材の取付構造が採用されている。【００２２】  室外側の窓枠部材１０と、室内側の窓枠部材１１は、いずれも、開口部５の外側に配置させ得る大きさを有するフランジ部１０ａ，１１ａと、フランジ部１０ａ，１１ａの内周縁から夫々開口部５の内側方向になる対向方向に向けた短尺筒形状の内周壁部１０ｂ、１１ｂと、内周壁部１０ｂ、１１ｂの端部からフランジ部に対して水平対向する方向に立設する立設板部１０ｃ、１１ｃとを具備する、断面が略コ字形状を有している。【００２３】  立設板部１０ｃ、１１ｃの相互に対向し合う面の中央箇所には、凸条部（リブ）１０ｅ，１１ｅが周回方向に立設形成されている。【００２４】  好適とされる窓枠部材１０，１１の材料は、アルミ、アルミ合金、ステンレス製のいずれかによる押出成形品を窓枠形状に加工・切断したものである。例えば、円形窓枠の場合には、この押出成形品を更に円形（リング形状）に曲げ加工し、両端部を溶接により接合する。矩形窓枠の場合には、４本の前記押出成形品の各端部を溶接して矩形にする。【００２５】  窓枠部材１０，１１は、更に相互にビス留めするための孔加工がされている。
この孔加工は、室内側の窓枠部材１１の場合には、フランジ部１１ａの周回方向を等分する複数箇所、例えば４〜８箇所に、ビス７の軸部を挿通させるビス挿通孔１１ｆ，１１ｆ・・が開設され、各ビス挿通孔１１ｆ，１１ｆ・・の前方箇所になる立設板部１１ｃの箇所にもビス挿通孔１１ｄ，１１ｄ・・が開設されている。
室外側の窓枠部材１０の場合には、ビス挿通孔１１ｄ，１１ｄ・・の前方箇所となる立設板部１０ｃの箇所に、ビス螺通孔１０ｄ、１０ｄ・・がタップ加工により開設されている。【００２６】  窓の取付け作業では、図６に示すように、先ず、室外側の窓枠部材１０の立設板部１０ｃと内周壁部１０ｂを開口部５内に突入させ、フランジ部１０ａの背面を開口５周囲のパネル面に接面させる方向で、窓枠部材１０を開口部５の片側に嵌め込む作業が行なわれる。
この後、内周壁部１０ｂ内にガラス板２０が嵌め込まれる。
更にこの後、室内側の窓枠部材１１が、室外側の窓枠部材１０の場合と同様の方法で、室内側から開口部５内に嵌め込まれる。
そして最後に、室内側から、ビス７，７・・の軸部を、ビス挿通孔１１ｆ、１１ｆ・・内に挿通させ、更に該軸部をその前方のビス挿通孔１１ｄ、１１ｄ・・内に挿通させる。そして、図７に示すように、ビス７，７・・の先端部を、更にその前方のビス螺通孔１０ｄ、１０ｄ・・内に螺通させて締結する。【００２７】  ビス７，７・・は、頭部がサラ頭である場合には、フランジ部１１ａに開設したビス挿通孔１１ｆ、１１ｆ・・の入口はビス頭が没入するテーパー斜面であることが好ましい。【００２８】  ドライバー操作によるビス７，７・・の締結を行うと、室外側の窓枠部材１０と室内側の窓枠部材１１とが、ガラス板２０を挟んだ状態で一体的に組付けられて、開口部５内に確りと保持される。【００２９】  上述したように、本考案実施形態においては、双方の窓枠部材１０，１１相互が間隔を設けてビス留めする構造であるため、ドア厚の多少の違い、ガラス板２０の板厚の違いに対しては、この間隔を広げたり狭くすることで対応できる。ビスの締結力が強すぎて立設板部１０ｃが立設板部１１ｃ方向に変形するようなことがあっても、凸条部１０ｅ，１１ｅの先端どうしが当接するため、ガラス板２０を配置させる空間は確保される。このため、ガラス板２０を破損させることはない。ガラス板２０の周縁部の固定にはシーリング剤が使用される。
【符号の説明】
【００３０】    １    扉
５    開口部
７    ビス
１０    窓枠部材
１０ａ  フランジ部
１０ｂ  内周壁部
１０ｃ  立設板部
１０ｄ  ビス螺通孔
１０ｅ  凸条部
１１    窓枠部材
１１ａ  フランジ部
１１ｂ  内周壁部
１１ｃ  立設板部
１１ｄ  凸条部
１１ｅ  ビス挿通孔
１１ｆ  ビス挿通孔
２０    ガラス板
【図１】
0003179385.tif 000003
【図２】
0003179385.tif 000004
【図３】
0003179385.tif 000005
【図４】
0003179385.tif 000006
【図５】
0003179385.tif 000007
【図６】
0003179385.tif 000008
【図７】
0003179385.tif 000009
【図８】
0003179385.tif 000010